(57)【要約】      （修正有）【課題】スケッチブックの絵を取り外さずに、ページを捲るようにして、額縁に飾り、スケッチブックの絵の表面、裏面の縦横の絵の取換えの簡単なスケッチブック用の額縁を提供する。【解決手段】枠本体１の裏面に、収納部２を備え、スケッチブック３の周縁部を除く画用紙面が枠本体の開口部に均等に納まるように、スケッチブックの綴じ具部分を定位置に納めた収納部を、枠本体の裏面にずらせて合わせ、枠本体を前開きに設け、開閉自在に係止する為に、枠本体と接する収納部の一方に蝶板４を、他方に磁石板５（商標マグネットキャッチ）等を設け、額縁を支える為に、支え具の差し込み棒を一本設ける。裏面の収納部の枠の両縦横の中央部に差込孔を設け、スケッチブックの表面、裏面の縦横の絵に合わせて額縁を回転させ、絵に合わせた差込位置に支え棒を差し込むことが出来るスケッチブック用額縁。【選択図】図２
2012249795.tif 000002
【特許請求の範囲】
【請求項１】
枠本体の裏面に収納部を備え、スケッチブックの周縁部を除く画用紙面が、枠本体の開口部に均等に納まるように、スケッチブックの綴じ具部分を定位置に納めた収納部を、枠本体の裏面にずらせて合わせ、枠本体を前開きに設け、開閉自在に係止する為に、枠本体と接する収納部の一方に蝶板を、他方に磁石板（商標マグネットキャッチ）等を設け、又は、磁石板の代わりに差込具を装着し、差込具と相対する収納部に、受け溝を設けて着脱自在に合致させたスケッチブック用額縁。
【請求項２】
請求項１記載の額縁を支える為に、支え具の差込棒を一本設け、裏面の収納部枠の両縦横の中央部に差込孔を設け、スケッチブックの表面、裏面の縦横の絵に合わせて、額縁を回転させ、絵に合わせた差込位置に支え棒を差し込むことが出来るスケッチブック用額縁。
【発明の詳細な説明】
【技術分野】
【０００１】
本発明は、スケッチブックの絵を取り外さずに、絵の交換が楽に出来、スケッチブックの表面、裏面の縦横の絵を、自由に入れ替えて見る事が出来るスケッチブック専用の額縁に関するものである。
【背景技術】
【０００２】
特開平１１−２０８２００は、スケッチ板と枠台座、及びそのスケッチ板を使用してスケッチする方法としてスケッチ板に被写体をストレートに写して，それを画用紙面に転写しようとするものであって、スケッチブックの絵を入れ換えて見る額縁ではない。
【０００３】
特開２００９−２１７２２３は、額縁及び写真盾の内部正面に写真を写す液晶パネルを設け、デジタルカメラでの写真及び携帯電話で撮った記憶された写真を送信して写真を自由に見る事が出来、外に、ネット上に掲載されている壁紙等をモバイルパネル用額縁及び写真盾に映像表示する事に関したものであり、スケッチブックの絵を入れ換えて見る額縁ではない。
【０００４】
特開２００６−２１７９５０は、転倒し難いように安定させた状態で載置出来ると共に装飾性を兼ね備えた据え置き用額縁であり、スケッチブックの絵を入れ換えて見る額縁ではない。
【０００５】
特開２００３−２９０００５は、展示物の厚み巾の違いに幅広く対応出来る額縁であり、展示窓の透明板と展示物と裏板をけんどん式に装着出来る前後方向に余裕をもった溝を有して、展示物の厚みの違いに広く対応出来る額縁を目的にしたものであり、スケッチブックの絵を入れ換えて見る額縁ではない。
【先行技術文献】
【特許文献】
【０００６】
【特許文献１】特開平１１−２０８２００
【特許文献２】特開２００９−２１７２２３
【特許文献３】特開２００６−２１７９５０
【特許文献４】特開２００３−２９０００５
【発明の概要】
【発明が解決しようとする課題】
【０００７】
本発明は、スケッチブックの絵を取り外さずに、ページを捲るようにして、額縁の収納部に入れ、スケッチブックの表面、裏面の縦横の絵を、一つの額縁で楽しめるスケッチブック用の額縁に関するものである。
【課題を解決するための手段】
【０００８】
枠本体の裏面に、収納部を備え、スケッチブックの周縁部（スケッチブックの綴じ具部分と、額縁の絵のくわえ部分と、画用紙よりはみ出た表紙部分）を除く画用紙面が枠本体の開口部に均等に納まるように、スケッチブックの綴じ具部分を定位置に納めた収納部を、枠本体の裏面にずらせて合わせ、枠本体を前開きに設け、開閉自在に係止する為に、枠本体と接する収納部の一方に蝶板を、他方に磁石板（商標マグネットキャッチ）等を設ける。
【０００９】
又は、磁石板の代わりに差込具を装着し、差込具と相対する収納部に、受け溝を設けて着脱自在に合致させたスケッチブック用額縁である。枠本体の裏面に、透明板を装着する為の溝を設け、枠本体と平面になるように透明板を装着する。
【００１０】
スケッチブックの定位置は、蝶板を装着した収納部にスケッチブックの綴じ具部分を合わせると、スケッチブックの表面裏面の縦横の絵の何れも、枠本体の開口部に収まる。
【００１１】
額縁を支える為に、棒状の支え具を一個設ける。裏面の収納部の枠の両縦横の中央部に差込孔をそれぞれ一箇所設け、スケッチブックの表面、裏面の縦横の絵に合わせて額縁を回転させ、支え具の差込棒を差込位置に差し込むことが出来るスケッチブック用額縁である。
【００１２】
スケッチブックが大きい場合は、支え具の差込棒を二本にし、差込孔を四隅に設け、左右に差込棒を差し込む。又は、Ｕ字型支え具、Ｖ字型支え具等を用いると安定感はあるが、差込孔は倍の数になる。
【００１３】
スケッチブックの絵の取替えを簡単にする為に、背面板の内側の一部に、引き紐を装着し、引き紐を手前に引くと、取り出しが簡単に出来、画用紙面を入れ変えて交互に見る事が出来る。
【００１４】
色紙額縁として用いる場合、収納部をずらさずに、額縁の絵のくわえ部分を除いた画用紙面が、枠本体から均等に出るように合せ、色紙等を数枚纏めて収納し、背面板の内側の一部に引き紐を装着して、引き紐を手前に引くと、取り出しが楽で、色紙の交換が簡単に出来る。背面板に着脱自在に出来る支え具を、収納部の下方の中央部と横中央部の二箇所設ける。
【００１５】
壁掛け用額縁としても用いる場合は、支え具を外して、収納部の枠の四方の中心部に、吊下げ具を設け、壁掛け用額縁としても用いる事も出来る。
【発明の効果】
【００１６】
スケッチブックに絵を描いても、描いた時に眺めるか、デッサンの練習だけで済ませ、額縁に入れて鑑賞する事は少ない。原因はスケッチブックの周縁部の綴じ具部分と、額縁の絵のくわえ部分と、画用紙面からはみ出た表紙部分の寸法が異なる為に、画用紙面が、額縁に均等に納まらない為であり、一般の額縁には納め難い。又、スケッチブックの出し入れに手間がかかる為である。その欠点を解消する為に、蝶板を装着した収納部にスケッチブックの綴じ具部分を収納するように定位置を決め、収めたスケッチブックの絵の画用紙面が枠本体に均等に出るように、枠本体に収納部をずらせて合せる事により、表額縁に出る絵の画用紙面は、均等に見えるようになった。
【００１７】
スケッチブックの収納が楽なように、枠本体と裏面に設けた収納部を前開きに設け、枠本体と収納部の接する位置に、一方に蝶板を、他方に、着脱自在の磁石板（商標マグネットキャッチ）を設ける。又は、磁石板の代わりに差込具を装着し、相対する収納部の枠に受け溝を設ける。開閉自在の前開きなので、絵の取替えがより簡単である。
【００１８】
スケッチブックの定位置は、蝶板を装着した収納部にスケッチブックの綴じ具部分を合わせると、スケッチブックの表面裏面の縦横の絵の何れも枠本体の開口部に、収まるので、スケッチブックの表面裏面の縦横の絵を自由に入れ替える事が容易に出来る。
【００１９】
額縁の絵の縦横を自由に置き換える為に、額縁の支え具の差込棒を一つ設け、裏面の収納部の枠の両縦横の中央部に、差込孔をそれぞれ一箇所設ける。スケッチブックの表面、裏面の縦横の絵に合わせて額縁を回転させ、絵に合わせた差込位置に支え棒を差し込み、一つの額縁で絵を見る事が出来るようになった。一本の支え棒と四箇所の差込孔で、スケッチブックの表面、裏面の縦横の絵が一つの額で見ることが出来る大きな効果がある。
【００２０】
スケッチブックが大きい場合は、支え具の差込棒を二本にし、差込孔を四隅に設け、左右に差込棒を差し込むと安定感がある。又は、Ｕ字型支え具、Ｖ字型支え具等を用いると安定感はあるが、差込孔は倍の数になる。
【００２１】
色紙額縁として用いる場合は、収納部に色紙を纏めて収納出来、枠体の絵のくわえ部分を除いた画用紙面が、枠体から画用紙面が均等に出るように、収納部をずらさずに枠体に合せる。収納部の枠に、支え具の差込位置を下方の中央部と横中央部の二箇所設けた額縁である。収納部に色紙を纏めて収納出来、絵の入換えも前開きなので、より簡単に色紙の交換が出来る。
【図面の簡単な説明】
【００２２】
【図１】額縁に絵を飾った斜視図
【図２】枠本体を前開きにした斜視図
【図３】枠本体と収納部の裏面の斜視図
【図４】差込具と受け溝を設けた斜視図
【図５】前開きにして複数収納した色紙の斜視図
【図６】スケッチブックのページを捲った斜視図
【図７】額縁の裏面を示す斜視図（ａ）棒状支え具，（ｂ）Ｕ字型支え具，（ｃ）Ｖ字型支え具
【発明を実施するための形態】
【００２３】
枠本体１の裏面に、収納部２を備え、スケッチブック３の周縁部（スケッチブックの綴じ具部分１２と、額縁の絵のくわえ部分１３と、画用紙よりはみ出た表紙部分１４）を除く画用紙面が、枠本体１の開口部に均等に納まるように、スケッチブック３の綴じ具部分を定位置と決めて収納するように、スケッチブック３を納めた収納部２を、枠本体１の裏面にずらせて合わせ、枠本体１と収納部２を前開きに設ける。開閉自在に係止する為に、枠本体１と接する収納部２の一方に蝶板４を、他方に磁石板５（商標マグネットキャッチ）等を設ける。又は、磁石板５の代わりに差込具６を装着し、差込具６と相対する収納部２に、受け溝７を設けて着脱自在に合致させたスケッチブック用額縁である。
【００２４】
前記枠本体１の裏面に、透明板８を装着する為の溝９を設け、枠本体１と平面になるように透明板８を装着する。
【００２５】
スケッチブック３の定位置は、蝶板４を装着した収納部２の綴じ具部分に、スケッチブック３の綴じ具部分１０を合わせると、スケッチブックの表面裏面の縦横の絵の何れも枠本体１の開口部に収まる。
【００２６】
額縁を支える為に、支え具の差込棒１０を設ける。収納部１の裏面の枠の両縦横の中央部に差込孔１１を設け、スケッチブックの表面、裏面の縦横の絵に合わせて額縁を回転させ、絵に合わせた差込位置に支え棒１０を差し込むことが出来るスケッチブック用額縁である。
【００２７】
スケッチブックが大きい場合は、支え具の差込棒１０を二本にし、差込孔１１を四隅に設け、左右に差込棒１０を差し込むと安定感がある。又は、Ｕ字型支え具２１、Ｖ字型支え具２２等を用いると差込孔は倍の数になるが安定感はある。
【００２８】
色紙額縁として用いる場合は、額縁の絵のくわえ部分１３を除いた画用紙面が、額縁から色紙画用紙面が均等に出るように、収納部２をずらさずに額縁に合わせ、収納部２に色紙を纏めて収納し、背面板１６の内側の一部に、引き紐１９を装着し、引き紐を手前に引き、色紙の取り出しを楽にし、交互に色紙を取り換えて見る事が出来る額縁である。
【００２９】
前記スケッチブック用額縁又は、色紙額縁は、玄関棚、下駄箱の上、床、棚等に置いて楽しむ額縁であるが、壁掛け用額縁として用いる場合は支え具の差し込み棒１０を外して、絵に合わせて収納部２の枠の中央部に、吊下げ具１８を設け、壁掛け用額縁として用いる事が出来る。
【符号の説明】
【００３０】
１    枠本体
２    収納部
３    スケッチブック
４    蝶板
５    磁石板（商標マグネットキャッチ）
６    差込具
７    受け溝
８    透明板
９    溝
１０  差込棒
１１  差込孔
１２  綴じ具部分
１３  絵のくわえ部分
１４  表紙部分
１５  前開き
１６  背面板
１７  収納枠
１８  吊下げ具
１９  引き紐
２０  色紙
２１  Ｕ字型支え具
２２  Ｖ字型支え具
【図１】
2012249795.tif 000003
【図２】
2012249795.tif 000004
【図３】
2012249795.tif 000005
【図４】
2012249795.tif 000006
【図５】
2012249795.tif 000007
【図６】
2012249795.tif 000008
【図７】
2012249795.tif 000009
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
枠本体の裏面に収納部を備え、スケッチブックの周縁部を除く画用紙面が、枠本体の開口部に均等に収まるように、スケッチブックの綴じ具部分を定位置に収めた収納部を、枠本体の裏面にずらせて合わせ、枠本体を前開きに設け、額縁を支える為に、支え具の差込棒を一本設け、裏面の収納部枠の両縦横の中央部に差込孔を設け、スケッチブックの表面、裏面の縦横の絵に合わせて、額縁を回転させ、絵に合わせた差込位置に支え棒を差し込み、１つの額縁で収納枠の４箇所の差込孔と一本の支え具で、全ての絵を見ることが出来るスケッチブック用額縁。